(57)【要約】【課題】一度の測定により複数本のロープ間の張力の異なり具合を判定して、各ロープの張力が一定になる方向で調整するエレベータのロープテンション調整治具を提供する。【解決手段】複数のロープ１１から５の配列方向とは交差する方向に配置された第１ロープ固定部２５と第２ロープ固定部２６と複数のロープの配列方向とは交差する方向に配置された支持部２７を有する台座２１と、支持部に移動可能に設けられ複数のロープにそれぞれ当たる押し当て端部３７を有する複数のロッド３１〜３５と、引っ張り力を生成する引っ張り力生成部材２２と、引っ張り力生成部材の他端部に第１端部が連結され第２端部が支持部に固定され、第１ロープ固定部と第２ロープ固定部に複数のロープを固定させた状態で、引っ張り力生成部材の引っ張り力を複数のロッドに与えて複数のロッドの押し当て端部を複数のロープに押し当てる１本のワイヤー２３を有する。【選択図】図２
2010120771.tif 000002
【特許請求の範囲】
【請求項１】
乗りかごを吊り下げる複数のロープの張力を調整するエレベータのロープテンション調整治具であって、
前記複数のロープに対して配置される台座であって、前記複数のロープの配列方向とは交差する方向に間隔をおいて配置された第１ロープ固定部と第２ロープ固定部と、前記複数のロープの配列方向とは交差する方向に配置された支持部と、を有する前記台座と、
前記支持部において移動可能に設けられ前記複数のロープにそれぞれ当たる押し当て端部を有する複数のロッドと、
前記台座に一端部が取り付けられ、前記複数のロッドの押し当て端部を前記複数のロープに押し当てるための引っ張り力を生成するための引っ張り力生成部材と、
第１端部と第２端部を有するワイヤーであって、前記引っ張り力生成部材の他端部に前記ワイヤーの前記第１端部が連結され前記ワイヤーの前記第２端部が前記支持部に固定され、前記第１ロープ固定部と前記第２ロープ固定部に前記複数のロープを押し当てて固定させた状態で、前記引っ張り力生成部材の前記引っ張り力を前記複数のロッドに与えて前記複数のロッドの前記押し当て端部を前記複数のロープに押し当てる前記ワイヤーと、
を有することを特徴とするエレベータのロープテンション調整治具。
【請求項２】
前記ワイヤーは、前記支持部において回転可能に配置された固定プーリーと、前記ロッドの前記押し当て端部とは反対側の端部に配置された可動プーリーとに掛けられていることを特徴とする請求項１に記載のエレベータのロープテンション調整治具。
【請求項３】
前記ロッドは前記支持部から取り外し可能であり、前記ロッドを前記支持部から取り外した際に前記ワイヤーの余った分を巻取るワイヤー巻取り器を有することを特徴とする請求項１または請求項２に記載のエレベータのロープテンション調整治具。
【請求項４】
前記固定プーリーの回転軸が、前記ロープの配列方向とは直交する方向になるように、前記固定プーリーが前記支持部に配置されていることを特徴とする請求項２または請求項３に記載のエレベータのロープテンション調整治具。
【請求項５】
前記支持部には、前記複数のロープに対応する位置にガイド部材が配置され、前記ロッドは前記ガイド部材により前記ロッドを前記ロープに押し当てる方向にガイド可能であることを特徴とする請求項１〜請求項４のいずれか１つの項に記載のエレベータのロープテンション調整治具。
【発明の詳細な説明】
【技術分野】
【０００１】
本発明は、エレベータのロープテンション調整治具に関し、特にエレベータの乗りかごをカウンタウェイトとともに支える複数本のロープのテンション（張力）を調整するエレベータのロープテンション調整治具に関する。
【背景技術】
【０００２】
エレベータの乗りかごは、複数本のロープにより支持されており、乗りかごは巻上機の駆動によりこれらのロープを介して昇降路内をカウンタウェイトとともに昇降動作する。ワイヤーロープには乗りかご及びつり合い用のカウンタウェイトが連結されることから、ワイヤーロープには張力が掛かる。乗りかごを昇降路内で安定して昇降動作させるためには、各ロープの張力が均一になるように調整しておく必要がある。
【０００３】
複数本のロープを調整する作業に用いられる従来の張力調整器具は、各ロープの内の任意の１本のロープを一定の形に変形させることにより、変形に必要な力を測定する。
【０００４】
また、複数本のばねを同時に用いて複数本のロープの張力を一度に測定する張力測定器具が、特許文献１に記載されている。
【特許文献１】特開平６―３４５３５７号公報
【発明の開示】
【発明が解決しようとする課題】
【０００５】
しかし、最近のエレベータの構造の傾向としては省スペース化が進んでおり、省スペース化に合わせて直径の細いロープを複数本使用してメインロープとして使用することが増えている。このようなエレベータの構造の場合には、従来の張力調整器具を用いて各ロープの内の任意の１本のロープを一定の形に変形させて変形に必要な力を測定するのでは、複数本のロープのすべてについて張力を測定するのに必要な時間が増えてしまい、ロープの張力を測定する時間が短縮できない。
【０００６】
また、特許文献１に記載の張力測定器具では、ばねの大きさにより、測定可能なロープの間隔が決まってしまうために、隣接するロープの間隔が狭いと適用できない。また、ばねの個体差により測定結果に誤差が出やすい。
【０００７】
本発明は上記課題を解決するためになされたものであり、本発明の目的は、一度の測定により複数本のロープ間の張力の異なり具合を判定して、各ロープの張力が一定になる方向で調整することができるエレベータのロープテンション調整治具を提供することである。
【課題を解決するための手段】
【０００８】
本発明のエレベータのロープテンション調整治具は、乗りかごを吊り下げる複数のロープの張力を調整するエレベータのロープテンション調整治具であって、前記複数のロープに対して配置される台座であって、前記複数のロープの配列方向とは交差する方向に間隔をおいて配置された第１ロープ固定部と第２ロープ固定部と、前記複数のロープの配列方向とは交差する方向に配置された支持部と、を有する前記台座と、前記支持部において移動可能に設けられ前記複数のロープにそれぞれ当たる押し当て端部を有する複数のロッドと、前記台座に一端部が取り付けられ、前記複数のロッドの押し当て端部を前記複数のロープに押し当てるための引っ張り力を生成するための引っ張り力生成部材と、第１端部と第２端部を有するワイヤーであって、前記引っ張り力生成部材の他端部に前記ワイヤーの前記第１端部が連結され前記ワイヤーの前記第２端部が前記支持部に固定され、前記第１ロープ固定部と前記第２ロープ固定部に前記複数のロープを押し当てて固定させた状態で、前記引っ張り力生成部材の前記引っ張り力を前記複数のロッドに与えて前記複数のロッドの前記押し当て端部を前記複数のロープに押し当てる前記ワイヤーと、を有することを特徴とする。
【発明の効果】
【０００９】
本発明によれば、一度の測定により複数本のロープ間の張力の異なり具合を判定して、各ロープの張力が一定になる方向で調整することができるエレベータのロープテンション調整治具を提供することができる。
【発明を実施するための最良の形態】
【００１０】
以下、本発明の実施の形態について図面を参照して詳細に説明する。
【００１１】
（第１の実施の形態）
図１は、本発明のロープテンション調整治具の第１の実施の形態が適用され、ロープの一端部に乗りかごが吊り下げられロープの他端部にカウンタウェイトが吊り下げられたつるべ式のエレベータの構成を示す図である。
【００１２】
図１に示すエレベータ１では、昇降路５の頂部に巻上機９が設定されており、この巻上機９にはメインロープ１０の複数本のロープが掛けられている。主ロープ１０の一端部１０Ｂには乗りかご２が吊り下げられ、主ロープ１０の他端部１０Ｃには釣り合い用のカウンタウェイト４が吊り下げられている。巻上機９が図示しない制御部により駆動制御されることにより、乗りかご２がガイドレール６に沿ってＺ方向に昇降路５内を昇降するようになっている。
【００１３】
図１に示すロープテンション調整治具２０は、図１に示すメインロープ１０の複数本のロープにより吊り下げ荷重を均等に分担するように複数本のロープの張力を調整するのに用いられる。このロープテンション調整治具２０は、メインロープ１０の張力を調整する際に、メインロープ１０に対して適用され、張力の調整が終わればメインロープ１０から取り除かれる。
【００１４】
図２は、メインロープ１０の複数本のロープ１１〜１５の途中部分と、これらのロープ１１〜１５に適用されているロープテンション調整治具２０を示す斜視図である。
【００１５】
図２に示す例では、メインロープ１０は、一例として５本のロープ１１，１２，１３，１４，１５から構成されている。図２に示すロープテンション調整治具２０は、ロープ１１，１２，１３，１４，１５の張力の調整の際にはロープ１１，１２，１３，１４，１５の張力の測定は必要とせずに、各ロープ１１，１２，１３，１４，１５の張力のばらつき具合が判別できれば良いことに着目している。
【００１６】
１つのスプリング２２で生成される引っ張り力が、ワイヤー２３を介して複数のロッド３１〜３５に対して均等に伝達することにより、ロッド３１〜３５が均一な力でメインロープ１０の各ロープ１１，１２，１３，１４，１５に押し当てられる。そして、各ロープ１１，１２，１３，１４，１５が変形する量を比較することにより、一度の測定でロープ１１，１２，１３，１４，１５間の張力の異なり具合を判定して、その判定後にロープを引っ張ることで張力が一定になる方向に調整することを可能にしている。
【００１７】
図２に示すロープテンション調整治具２０は、５本のロープ１１，１２，１３，１４，１５に対して装着および取り外し可能になっている。ロープテンション調整治具２０は、台座２１と、引っ張り力生成部材の一例である１つのスプリング２２と、１本のワイヤー２３と、５本のロッド３１，３２，３３，３４．３５と、５つの固定プーリー４１，４２，４３，４４，４５と、５つの可動プーリー５１，５２，５３，５４，５５を有している。
【００１８】
図２に示すように、台座２１は、縦方向部分２４と、上下のロープ固定部２５，２６と、支持部２７と、延長部２８を有している。台座２１は、金属により作られており、縦方向部分２４はＺ方向に沿って形成された板状の部分であり、縦方向部分２４から上下のロープ固定部２５，２６と、支持部２７は、Ｘ方向に沿って平行に形成されている。
【００１９】
上側のロープ固定部（第１ロープ固定部に相当）２５は、縦方向部分２４の上端部からＸ方向に沿って形成され、下側のロープ固定部（第２ロープ固定部に相当）２６は、縦方向部分２４の下端部からＸ方向に沿って形成されている。支持部２７は、縦方向部分２４の中間部からＸ方向に沿って形成されている。支持部２７は、Ｚ１方向から見てほぼＬ字型に形成されている。
【００２０】
ロープ固定部２５，２６は同一面（ＸＺ平面）に形成されている。ロープ固定部２５，２６は縦方向部分２４からＹ方向に沿って水平に突出しており、ロープ固定部２５，２６と支持部２７はＹ方向にずれた位置にある。延長部２８は、縦方向部分２４からＹ方向に沿って水平に突出して形成されている。なお、Ｘ方向とＹ方向とＺ方向は互いに直交している。
【００２１】
図２に示すように、スプリング２２の一端部２２Ｂは、台座２１の延長部２８に対して固定されている。スプリング２２の他端部２２Ｃは、支持部２７に形成されている穴２７Ｈ内に位置されている。スプリング２２はＺ方向に向けて配置されている。
【００２２】
上下のロープ固定部２５，２６のＸ方向の長さと中央の支持部２７のＸ方向の長さは、５本のロープ１１，１２，１３，１４，１５の配列されているＸ方向の範囲よりも大きく設定されている。５本のロープ１１，１２，１３，１４，１５は、配列ピッチＰをおいてＺ方向に配列されている。５本のロッド３１，３２，３３，３４．３５は、５本のロープ１１，１２，１３，１４，１５に対してそれぞれ対応して配置されている。
【００２３】
図３は、ロッド３１（３２，３３，３４．３５）と可動プーリー５１（５２，５３，５４，５５）と、ロープ１１（１２，１３，１４，１５）の一部を示す斜視図である。図３では、ロッド３１と、可動プーリー５１とロープ１１を代表して示している。図４は、ロッド３１，３２，３３，３４．３５と可動プーリー５１，５２，５３，５４，５５と、ロープ１１，１２，１３，１４，１５を示す平面図である。
【００２４】
図３に例示するように、ロッド３１，３２，３３，３４．３５は、例えば断面矩形の金属部材であり、支持部２７の上面２７Ｄには、ロープ１１，１２，１３，１４，１５に対応する位置に、５つのガイド部材６９がそれぞれ固定されている。このガイド部材６９は、断面Ｕ字型に形成されており、各ガイド部材６９はロッド３１，３２，３３，３４．３５を支持部２７に対してＹ１方向に移動可能なように支持している。これにより、各ロッド３１，３２，３３，３４．３５はガイド部材６９に沿って確実に対応するロープ１１，１２，１３，１４，１５側に移動して押し当てることができる。
【００２５】
図２と図３に示すように、各ロッド３１，３２，３３，３４．３５の一端部３６には、可動プーリー５１，５２，５３，５４，５５が回転可能に取り付けられている。各ロッド３１，３２，３３，３４．３５の他端部３７は、対応するロープ１１，１２，１３，１４，１５に対してＹ１方向に押し当てるための押し当て端部である。
【００２６】
図２と図４に示すように、支持部２７の上面２７Ｄには、５つの固定プーリー４１，４２，４３，４４，４５が回転可能に取り付けられている。図４に示すように、これらの固定プーリー４１，４２，４３，４４，４５の回転軸ＣＬと可動プーリー５１，５２，５３，５４，５５の回転軸ＣＬは、Ｚ方向に平行である。
【００２７】
また、図２と図４に示すように、支持部２７の上面２７Ｄの端部分には、ワイヤー固定部材３９が固定されている。ロッド３１は、固定プーリー４１と固定プーリー４２の間に位置され、ロッド３２は、固定プーリー４２と固定プーリー４３の間に位置されている。ロッド３３は、固定プーリー４３と固定プーリー４４の間に位置され、ロッド３４は、固定プーリー４４と固定プーリー４５の間に位置されている。そして、ロッド３５は、固定プーリー４５とワイヤー固定部材３９の間に位置されている。各ロッド３１，３２，３３，３４．３５は、支持部２７に対して着脱可能に取り付けられている。
【００２８】
図２に示すように、ワイヤー２３の第１端部２３Ｂは、支持部２７の穴２７Ｈを通じてスプリングの他端部２２Ｃに連結され、ワイヤー２３の第２端部２３Ｃは、ワイヤー固定部材３９に対して固定されている。ワイヤー２３は、固定プーリー４１、可動プーリー５１、固定プーリー４２、可動プーリー５２、固定プーリー４３、可動プーリー５３、固定プーリー４４、可動プーリー５４、固定プーリー４５、可動プーリー５５の順に掛けられている。そして、ワイヤー２３の第２端部２３Ｃは、ワイヤー固定部材３９に対して着脱可能に固定されている。
【００２９】
これにより、ワイヤー２３はスプリング２２により生成される引っ張り力により台座２１の延長部２８と支持部２７のワイヤー固定部材３９との間で引っ張られ、各ロッド３１，３２，３３，３４．３５は、各ロープ１１，１２，１３，１４，１５に対してＹ１方向の力を加えることで、各ロープ１１，１２，１３，１４，１５を押し付けることができるようになっている。すなわち、ワイヤー２３は、スプリング２２により生成される引っ張り力を複数の固定プーリー４１，４２，４３，４４，４５により力の方向を変えながら複数の可動プーリー５１，５２，５３，５４，５５に伝える。この時に、１本のワイヤー２３が、複数の可動プーリー５１，５２，５３，５４，５５に引っ張り力を与えるために、すべての可動プーリー５１，５２，５３，５４，５５に対して一定の引っ張り力を伝えることができるようになっている。
【００３０】
図２と図４に示す可動プーリー５１，５２，５３，５４，５５は、引っ張り力を各ロッド３１，３２，３３，３４．３５に伝え、各ロッド３１，３２，３３，３４．３５の各他端部（押し当て端部）３７は、対応するロープ１１，１２，１３，１４，１５を押さえ付ける。このように各ロッド３１，３２，３３，３４．３５の各他端部（押し当て端部）３７がロープ１１，１２，１３，１４，１５を押さえ付けた力によりロープ１１，１２，１３，１４，１５を変形させるが、この時のロープ１１，１２，１３，１４，１５の変形量は、ロープ１１，１２，１３，１４，１５の張力およびスプリング２２の引っ張り力、そしてロッド３１，３２，３３，３４．３５とロープ固定部２５，２６までの距離で決定される。
【００３１】
この場合に、スプリング２２の引っ張り力と、ロープ固定部２５，２６とロッド３１，３２，３３，３４．３５との距離は、各ロープ１１，１２，１３，１４，１５に関して共通であるために、ロープ１１，１２，１３，１４，１５の変形量は、ロープ１１，１２，１３，１４，１５の張力により決定される。すなわち、１本のスプリング２２を用いており、複数のスプリングは用いておらず、しかもロープ固定部２５，２６はロッド３１，３２，３３，３４．３５の同じ位置を支持して固定することができるからである。
【００３２】
そこで、このロープ１１，１２，１３，１４，１５の変形量は、ロッド３１，３２，３３，３４．３５のＹ１方向への移動量で検出することができる。
【００３３】
次に、図５〜図７を参照して、ロープテンション調整治具２０を用いたロープ１１，１２，１３，１４，１５のロープテンション調整方法を説明する。
【００３４】
図５は、ロープテンション調整治具２０だけを示す斜視図であり、図６は、ロープテンション調整治具２０をロープ１１，１２，１３，１４，１５に対して適用しようとしている状態を示す斜視図である。図７は、ロープテンション調整治具２０が実際にロープ１１，１２，１３，１４，１５を変形させている状態を示す斜視図である。なお、図５〜図７では、図面の簡単化のために支持部２７における５つのガイド金具６９の図示を省略している。
【００３５】
図５に示すように、適用する前のロープテンション調整治具２０では、支持部２７とロープ固定部２５，２６とは、Ｘ方向に沿って平行である。１本のワイヤー２３が、複数の可動プーリー５１，５２，５３，５４，５５に対して一定の引っ張り力を伝えている。
【００３６】
図６に示すように、ロープテンション調整治具２０をロープ１１，１２，１３，１４，１５に対して適用する場合には、上下のロープ固定部２５，２６は図５に示す通常の固定状態を解除して、Ｒ方向に後退させる。そして、各ロッド３１，３２，３３，３４．３５の他端部（押し当て端部）３７は、対応するロープ１１，１２，１３，１４，１５に対して当てる。この状態で、図７に示すように上下のロープ固定部２５，２６の位置を元に戻して縦方向部分２４に対して図示しないロック機構によりロックして、支持部２７とロープ固定部２５，２６とは、Ｘ方向に沿って平行になる。
【００３７】
これにより、スプリング２２の引っ張り力により、各ロッド３１，３２，３３，３４．３５の他端部３７が対応するロープ１１，１２，１３，１４，１５を押さえ付け、このロッド３１，３２，３３，３４．３５のＹ１方向に関する移動量を測定する。この時に、ロープ１１，１２，１３，１４，１５に対するロッド３１，３２，３３，３４．３５の移動量の比が一定値以上であれば、各ロープ１１，１２，１３，１４，１５のテンションの差が予め定めた規定値よりも大きいと判断できるので、規定値よりも大きいロープの張力を調整する。例えば図７の例では、ロープ１１，１３，１４の張力を図示しない装置により与えて、ロープ１１，１２，１３，１４，１５の張力を一定にする。
【００３８】
ロープの張力の調整後、再度図５〜図７に示す手順に従って、各ロープ１１，１２，１３，１４，１５の張力の差を測定して、各ロープ１１，１２，１３，１４，１５のテンションの差が予め定めた規定値以内であれば、調整作業を終了する。しかし、ロープの張力の調整後、再度図５〜図７に示す手順に従って、各ロープ１１，１２，１３，１４，１５の張力の差を測定して、まだ各ロープ１１，１２，１３，１４，１５のテンションの差が予め定めた規定値よりも大きいのであれば、再度上記手順に従ってロープ１１，１２，１３，１４，１５に対するロッド３１，３２，３３，３４．３５の移動量の比を測定する。
【００３９】
このように、１つのスプリングで生成される引っ張り力をワイヤーにより複数のロッドに接続することにより、ロッド３１，３２，３３，３４．３５を均一な力でメインロープ１０の各ロープ１１，１２，１３，１４，１５に押し当てることができ、各ロープ１１，１２，１３，１４，１５が変形する量を比較することにより、一度の測定でロープ間の張力の異なり具合を判定して、ロープの張力を一定になる方向に調整することができる。
【００４０】
（第２の実施の形態）
次に、本発明における第２の実施の形態について説明する。なお、第２の実施の形態において、上述の第１の実施の形態において説明した構成要素と同一の構成要素には同一の符号を付し、同一の構成要素の説明は重複するので省略する。
【００４１】
本発明の第２の実施の形態が、第１の実施の形態と異なるのは、図２に示すロープテンション調整治具２０は５本のロープ１１，１２，１３，１４，１５に対して適用されているのが、図８に示すロープテンション調整治具２０は例えば３本のロープ１１，１２，１３に適用されていることである。
【００４２】
エレベータの乗りかごの大きさ等によっては、メインロープ１０の本数が異なるが、メインロープ１０の本数が異なっても、ロープテンション調整治具２０は適用できる。ロープの本数が３本になったことに応じて、ロッド３１，３２，３３を残して不要になったロッド３４，３５を支持部２７から取り外す。ワイヤー巻取り器６０は支持部２７の端部に対して着脱可能に固定されている。
【００４３】
そこで、取り外したロッド３４，３５の分だけワイヤー２３の長さが余るので、この余ったワイヤー２３の部分は、ワイヤー巻取り器６０の操作部６１を作業者が持って回すことにより巻き取ることで、スプリング２２の引っ張り力を一定に保つことができるようになっている。ワイヤー巻取り器６０によりワイヤー２３を巻き取った後は、ワイヤー巻取り器６０が回転しないように回転止め部材を差し込む。これにより、ワイヤー２３に対してスプリング２２の引っ張り力が加わっても緩むことがない。
【００４４】
この状態で、図５〜図７に示す要領と同じようにして、各ロープ１１，１２，１３の張力の差を測定して、各ロープ１１，１２，１３のテンションの差が予め定めた規定値よりも大きいのであれば、再度上記手順に従ってロープ１１，１２，１３に対するロッド３１，３２，３３の移動量の比を測定する。
【００４５】
このように、１つのスプリングで生成される引っ張り力をワイヤーにより複数のロッドに接続することにより、ロッドを均一な力でメインロープ１０の各１１，１２，１３に押し当てて、各ロープ１１，１２，１３が変形する量を比較することにより、一度の測定でロープ間の張力の異なり具合を判定して、張力を一定になる方向に調整することができる。
【００４６】
（第３の実施の形態）
次に、本発明における第３の実施の形態について説明する。なお、第３の実施の形態において、上述の第１の実施の形態において説明した構成要素と同一の構成要素には同一の符号を付し、同一の構成要素の説明は重複するので省略する。
【００４７】
図９は、ロープテンション調整治具の第３の実施の形態を示している斜視図である。図１０は、ロープテンション調整治具の第３の実施の形態を示している正面図である。
【００４８】
図２に示す第１の実施の形態と図８に示す第２の実施の形態では、各ロープ１１，１２，１３，１４，１５は配列ピッチＰをおいて配列されている。
【００４９】
これに対して、図９と図１０に示す第３の実施の形態では、５本のロープ１１，１２，１３，１４，１５が配列ピッチＰよりも小さい配列ピッチＰ１をおいて配列されている。このようにロープの配列ピッチが狭い場合には、図９と図１０に示すロープテンション調整治具２０Ｂが適用できる。
【００５０】
ロープ１１，１２，１３，１４，１５の配列ピッチは、ロッド３１，３２，３３，３４，３５の間に配置されている固定プーリーの幅（直径）に依存してしまうことから、図９と図１０に示す例では、固定プーリー４１を除き、固定プーリー１４２，１４３，１４４，１４５の直径方向は垂直方向に向けて配列ピッチＰ１をおいて、支持部２７の上に回転可能に取り付けられている。図２に示す第１の実施の形態と図８に示す第２の実施の形態では、固定プーリー４１，４２，４３，４４，４５の回転軸ＣＬはＺ方向に平行であるが、図１０に示す各固定プーリー１４２，１４３，１４４，１４５の回転軸ＣＬ１はＸ方向に平行になっている。支持部２７の他にもう１つの支持部１２７が縦方向部分２４に対して設けられており、支持部２７，１２７は平行であり同じ長さを有している。
【００５１】
固定プーリー４１と固定プーリー１４２，１４３，１４４，１４５が、支持部２７の上面に取り付けられている。ロッド３１，３３，３５は、支持部２７の上面側に配置されているが、ロッド３２，３４はもう１つの支持部１２７の下面側に配置されている。このように、ロッドが交互に支持部２７と支持部１２７に対して振り分けて配置されているのは、ロッド３１，３２，３３，３４，３５の間の各固定プーリー１４２，１４３，１４４，１４５が、支持部２７に対して垂直に立てて回転可能に取り付けられているので、各固定プーリー１４２，１４３，１４４，１４５に掛っているワイヤー２３の高さ分を吸収して、ワイヤー２３を各可動プーリー５１，５２，５３，５４，５５に対して円滑に掛けることができるようにするためである。
【００５２】
ワイヤー２３は、固定プーリー４１、可動プーリー５１、固定プーリー１４２、可動プーリー５２、固定プーリー１４３、可動プーリー５３、固定プーリー１４４、可動プーリー５４、固定プーリー１４５、可動プーリー５５、そしてワイヤー固定部３９の順に掛けられている。
【００５３】
ロッド３１，３２，３３，３４，３５の間の各固定プーリー１４２，１４３，１４４，１４５が、支持部２７に対して垂直に立てて回転可能に取り付けられる、すなわち固定プーリーの回転軸ＣＬ１がロープの配列方向（Ｚ方向）に対して直交していることにより、各固定プーリーが、支持部２７に対して水平に回転可能に取り付けられている（固定プーリーの回転軸がロープの配列方向に平行である）場合に比べて、ロッド３１，３２，３３，３４，３５の間隔を狭くすることができる。
【００５４】
これにより、ロープテンション調整治具２０Ｂの各ロッド３１，３２，３３，３４．３５は、図２に示すロープ１１，１２，１３，１４，１５の配列ピッチＰに比較して、より狭い配列ピッチＰ１の各ロープ１１，１２，１３，１４，１５に対して押し当てることができる。そして、ロッド３１，３２，３３，３４，３５の他端部（押し当て端部）３７は、より狭いロープ１１，１２，１３，１４，１５の配列ピッチＰ１に対応して、均一な力で各ロープ１１，１２，１３，１４，１５に押し当てて、各ロープ１１，１２，１３，１４，１５が変形する量を比較することにより、一度の測定でロープ間の張力の異なり具合を判定して、張力を一定になる方向に調整することができる。
【００５５】
本発明の実施の形態では、一度の測定により複数本のロープ間の張力の異なり具合を判定して、各ロープの張力が一定になる方向で調整できるのでメインロープの張力調整がより短時間ででき、メインロープ（メインロープ）を構成するロープの本数が多く配列ピッチが狭い場合であっても、メインロープの張力調整がより短時間ででき、メインロープの張力の管理が容易に確実に行える。
【００５６】
本発明のロープテンション調整治具は、乗りかごを吊り下げる複数のロープの張力を調整するエレベータのロープテンション調整治具であって、複数のロープに対して配置され、複数のロープの配列方向とは交差する方向に間隔をおいて配置された第１ロープ固定部と第２ロープ固定部と、複数のロープの配列方向とは交差する方向に配置された支持部と、を有する台座と、支持部において移動可能に設けられ複数のロープにそれぞれ当たる押し当て端部を有する複数のロッドと、台座に一端部が取り付けられ、複数のロッドの押し当て端部を複数のロープに押し当てるための引っ張り力を生成するための引っ張り力生成部材と、第１端部と第２端部を有するワイヤーであって、引っ張り力生成部材の他端部にワイヤーの第１端部が連結されワイヤーの第２端部が支持部に固定され、第１ロープ固定部と第２ロープ固定部に複数のロープを押し当てて固定させた状態で、引っ張り力生成部材の引っ張り力を複数のロッドに与えて複数のロッドの押し当て端部を複数のロープに押し当てるワイヤーと、を有する。これにより、一度の測定により複数本のロープ間の張力の異なり具合を判定して、各ロープの張力が一定になる方向で調整することができる。従って、ロープテンション調整作業が短時間で容易に確実に行える。
【００５７】
また、本発明のロープテンション調整治具では、ワイヤーは、支持部において回転可能に配置された固定プーリーと、ロッドの押し当て端部とは反対側の端部に配置された可動プーリーとに掛けられている。これにより、ワイヤーは、固定プーリーと可動プーリーに掛けるだけで各ロッドに対して均一な力を与えることができる。
【００５８】
本発明のロープテンション調整治具では、ロッドは支持部から取り外し可能であり、ロッドを支持部から取り外した際にワイヤーの余った分を巻取るワイヤー巻取り器を有する。これにより、ロープテンション調整治具は、ロープの本数に対応して用いることができる。
【００５９】
本発明のロープテンション調整治具では、固定プーリーの回転軸が、ロープの配列方向とは直交する方向になるように、固定プーリーが支持部に配置されている。これにより、複数本のロープの配列ピッチが狭い場合であっても、各ロッドの他端部を対応するロープに対して押し当てることができる。
【００６０】
本発明のロープテンション調整治具では、支持部には、複数のロープに対応する位置にガイド部材が固定され、ロッドはガイドによりロッドをロープに押し当てる方向にガイド可能である。これにより、各ロッドはガイド部材に沿って確実に対応するロープ側に移動して押し当てることができる。
【００６１】
なお、この発明は、上記実施の形態そのままに限定されるものではなく、実施段階ではその要旨を逸脱しない範囲で構成要素を変形して具体化できる。
【００６２】
図に示した例では、メインロープを構成するロープの本数は５本あるいは３本であったが、これに限らず２本、４本あるいは６本以上であっても良い。
【００６３】
さらに、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００６４】
【図１】本発明のロープテンション調整治具の第１の実施の形態が適用されるロープの一端部に乗りかごが吊り下げられロープの他端部にカウンタウェイトが吊り下げられたつるべ式のエレベータの構成例を示す図である。
【図２】主ロープの複数本のロープの途中部分とロープテンション調整治具を示す斜視図である。
【図３】ロッドと可動プーリーと、ロープの一部を示す平面図である。
【図４】ロッドと可動プーリーと、ロープを示す図である。
【図５】ロープテンション調整治具を示す斜視図である。
【図６】ロープテンション調整治具をロープに対して適用しようとしている状態を示す斜視図である。
【図７】ロープテンション調整治具が実際にロープを変形させている状態を示す斜視図である。
【図８】本発明のロープテンション調整治具の第２の実施の形態を示す斜視図である。
【図９】本発明のロープテンション調整治具の第３の実施の形態を示す斜視図である。
【図１０】本発明のロープテンション調整治具の第３の実施の形態を示す正面図である。
【符号の説明】
【００６５】
１            エレベータ
２            乗りかご
４            釣り合い用のカウンタウェイト
５            昇降路
１０          メインロープ（主ロープ）
１１，１２，１３，１４，１５      ロープ
２０          ロープテンション調整治具
２１          台座
２２          スプリング（引っ張り力生成部材の一例）
２３          ワイヤー
２４          縦方向部分
２５          上側のロープ固定部（第１ロープ固定部）
２６          下側のロープ固定部（第２ロープ固定部）
２７          支持部
２８          延長部
３１，３２，３３，３４．３５      ロッド
３７          ロッドの他端部（押し当て端部）
４１，４２，４３，４４，４５      固定プーリー
５１，５２，５３，５４，５５      可動プーリー
６９          ガイド部材
【図１】
2010120771.tif 000003
【図２】
2010120771.tif 000004
【図３】
2010120771.tif 000005
【図４】
2010120771.tif 000006
【図５】
2010120771.tif 000007
【図６】
2010120771.tif 000008
【図７】
2010120771.tif 000009
【図８】
2010120771.tif 000010
【図９】
2010120771.tif 000011
【図１０】
2010120771.tif 000012